(57)【要約】【課題】マーカー位置へのタイトル名等のテキスト情報が予め決められた数しか使用できなく、一定数以上のマーカーにはタイトルがついていない／付けられない状態になるため、マーカー位置の情報が少なくなりユーザの視認性が悪い。【解決手段】マーカー位置の情報を表示する際において、マーカーにタイトル名等のテキスト情報が存在しない場合には、マーカーの存在するストリーム情報の録画日時情報やマーカーの位置情報を使用してタイトル名の代わりにマーカー位置の録画時間情報をテキスト情報として表示することによりユーザの視認性を向上させる。【選択図】図１
2005086475.tif 000002
【特許請求の範囲】
【請求項１】
映像または音声の少なくとも一つを含むストリーム情報が記録された記録媒体から情報を表示する装置であって、記録媒体に記録されているストリーム情報の管理情報を記録している管理情報保存手段と、前記管理情報保存手段に保存されている情報から映像または音声の頭だし位置を示すマーカー情報を取得するマーカー情報取得手段と、前記管理情報保存手段に保存されている映像または音声の録画開始時間や再生時間等の付加情報を取得する付加情報取得手段と、前記マーカー情報取得手段で取得された情報と、前記付加情報取得手段で取得された情報から表示する情報を生成する表示情報生成手段と、前記表示情報生成手段で生成されたマーカー情報を表示するマーカー情報表示手段とを備えたことを特徴とする情報表示装置。
【請求項２】
表示するマーカー情報の付加情報の種別を指示するための表示情報指示手段をさらに備えたことを特徴とする請求項１記載の情報表示装置。
【請求項３】
映像または音声の少なくとも一つを含むストリーム情報が記録された記録媒体から情報を表示する方法であって、記録媒体に記録されているストリーム情報の管理情報を保存する第１のステップと、前記第１のステップに保存されている情報から映像または音声の頭だし位置を示すマーカー情報を取得する第２のステップと、前記第１のステップに保存されている映像または音声の録画開始時間や再生時間等の付加情報を取得する第３のステップと、前記第２のステップおよび前記第３のステップ出で取得された情報から表示する情報を生成する第４のステップと、前記第４のステップで生成されたマーカー情報を表示する第５のステップを有することを特徴とする情報表示方法。
【請求項４】
表示するマーカー情報の付加情報の種別を指示するための第６のステップをさらに有することを特徴とする請求項３記載の情報表示装置。
【請求項５】
請求項３〜４いずれかに記載のステップをコンピュータに実行させるための表示制御プログラム。
【請求項６】
請求項５記載のプログラムを担持した媒体であって、コンピュータにより処理可能な媒体。
【発明の詳細な説明】
【技術分野】
【０００１】
本発明はディジタル情報分野における情報表示および情報再生に関するものである。
【背景技術】
【０００２】
近年、ディジタル情報の記録において、ＤＶＤ（Ｄｉｇｉｔａｌ  Ｖｅｒｓａｔｉｌｅ  Ｄｉｓｋ）等の再書き込み可能な記録媒体が急速に普及している。再書き込み可能な媒体の特徴を利用して記録された映像の頭出しをする際のマーカー情報を追加設定することが可能である。その際にはマーカー情報にはタイトル名入力も可能なＤＶＤ規格も策定されている。そのマーカー情報の表示において、ＤＶＤ規格上の制限によりタイトル名が設定できるマーカー数は定められた数に決められており、すべてのマーカーにタイトル名を入力して表示することはできないため、タイトルなしマーカーの場合には視認性の向上が望まれている。
【０００３】
従来の情報表示装置では、記録媒体へ録画時に自動的に記録されるＴＯＣ領域に記録された付加情報を参照してマーカー位置の補助情報として表示しているものもある。（例えば特許文献１参照）。以下、図面を用いて、従来の技術を説明する。図４は、従来の情報表示装置の構成図を示すものである。図４において、４１の内蔵タイマーで時間を計測して、４２の制御部で所定時間毎に自動的に記録媒体の所定領域に録画時間等の付加情報を記録する。そして記録媒体に記録した情報を表示する際には、記録媒体から付加情報を読み取ることにより記録情報に録画時間等の付加情報を加えて表示するものである。
【特許文献１】特開２００１−１４３４４１号公報
【発明の開示】
【発明が解決しようとする課題】
【０００４】
従来マーカーのタイトル名として、録画時の日時情報をテキスト情報として記録媒体への記録時に自動的に記録するものもある。しかしながらこの方法はマーカー位置の視認性を高める上では有効であるが、ＤＶＤ規格のようにタイトル名つきのマーカー数が制限されている場合には、ユーザがタイトルを新たに入力する際に制限数の関係から入力・設定できなくなる可能性が生じる。また、マーカー位置の情報としてタイトル名等の付加情報の設定数が制限されていると付加情報のあるマーカーとないマーカーで視認性に差が出て、付加情報のないマーカー位置は例えば映像のサムネイル情報のみで判断することになるので視認性が悪い。
【課題を解決するための手段】
【０００５】
上記課題に鑑み、本発明は記録媒体に保存できるマーカーのタイトル名等の付加情報数に制限があった場合に、タイトル名の代用としてそのマーカー位置の録画時間情報等を表示することを最も主要な特徴とする。
【発明の効果】
【０００６】
これにより、ディスクメディア等の記録媒体からストリーム情報のマーカー位置を表示する場合において、表示するマーカー位置の情報のタイトル名有りなしの内容を判断して、タイトル名情報がない場合には、記録媒体に保存されている管理情報からマーカー位置の録画時間等の付加情報を取得して代替情報として表示することにより、マーカー位置に対するユーザの視認性の向上を図ることが可能となる。
【発明を実施するための最良の形態】
【０００７】
（実施の形態１）
図１は、本発明の実施の形態１における情報表示装置の構成を示すブロック図である。図１において、１１は記録媒体に記録されているストリーム情報の管理情報を記録している管理情報保存手段、１２は管理情報保存手段１１に保存されている情報から映像または音声の頭だし位置を示すマーカー情報を取得するマーカー情報取得手段、１３は管理情報保存手段１１に保存されている映像または音声の録画開始時間や再生時間等の付加情報を取得する付加情報取得手段、１４はマーカー情報取得手段１２で取得された情報と、付加情報取得手段１３で取得された情報から表示する情報を生成するマーカー情報生成手段、１５はマーカー情報生成手段１４で生成されたマーカー情報を表示するマーカー情報表示手段である。
【０００８】
図２は本発明の実施の形態１における表示情報生成手段の動作を説明するものである。上記のように構成された実施の形態１の情報表示装置および情報表示方法の動作について図１および図２を参照しつつ説明する。
【０００９】
１１の記録媒体に記録されているストリーム情報の管理情報を記録している管理情報保存手段には、ストリーム情報の属性情報や録画日時等の付属情報と共に、ユーザの設定したストリームの頭だしを行うためのマーカー位置情報等が保存されている。１２のマーカー情報取得手段により１１の管理情報保存手段に保存されているマーカー位置情報を取得してその情報をユーザに選択可能なように表示する。その際に、取得したマーカー情報中にタイトル名が存在した場合には、そのタイトル名情報も合わせて表示するが、なかった場合には、１３の付加情報取得手段によりストリーム情報の録画開始時間や再生時間等の付加情報を取得してタイトル名の代用として表示を行う。１４のマーカー情報生成手段は、１２のマーカー情報取得手段で取得されたマーカー情報にタイトル名が存在しなかった場合に、１３の付加情報取得手段により取得された付加情報からマーカーのタイトル名を代用するための情報を作成する。
【００１０】
ここで、１１の管理情報保存手段に保存されている管理情報とは、例えばＤＶＤ−ＶｉｄｅｏＲｅｃｏｒｄｉｎｇ規格のＩＦＯファイルのことであり、タイトル名ありのマーカーとはＤＶＤ−ＶｉｄｅｏＲｅｃｏｒｄｉｎｇ規格のユーザーマーカーのことであり、タイトルなしマーカーとはＤＶＤ−ＶｉｄｅｏＲｅｃｏｒｄｉｎｇ規格のエントリーポイントのことである。
【００１１】
ＤＶＤ−ＶｉｄｅｏＲｅｃｏｒｄｉｎｇ規格の場合、記録媒体１枚に設定可能なマーカー数は、マーカー数最大：９９９個（内タイトル名有り９９個）のような制限が存在する。このようにタイトル有りマーカー数（ユーザーマーカー）が９９個と制限されていることから１００個を超えるマーカー（エントリーポイント）にはタイトル名を付与することができない。このような場合に、タイトルなしマーカー（エントリーポイント）に対して上記操作によって、例えば録画時刻情報を代用してタイトル名情報表示領域に自動的に置き換えて表示することにより制限されているタイトルありのマーカー数（ユーザーマーカー）を越えることなくユーザにマーカー位置の適切な情報を表示できることになりマーカー位置のユーザ視認性を向上させるものである。
【００１２】
次に、図２を用いて、１４のマーカー情報生成手段の動作をより詳しく説明する。図２において２１は記録媒体に記録されている映像情報であり、１１の管理情報保存手段には、２１の映像情報のタイトル名、録画開始時間、マーカー位置情報が保存されている。映像情報２１には、マーカー情報として、２２のマーカー＃１（タイトル名あり）と２３のマーカー＃２（タイトル名なし）の２つが設定されているものとする。その際に、２２のマーカー＃１を表示する際には、タイトル名が存在するので、例えばマーカー位置のユーザへの視認性を高める方法としてマーカー位置の映像のサムネイル画像と共にタイトル名を表示することがある。しかし、２３のマーカー＃２にはタイトル名が存在しないために、タイトル名の代用として、２３のマーカー＃２の録画時間を、例えば映像情報２１の録画開始時刻と２３のマーカー＃２までの再生時間２４から以下のように算出することにより自動的にタイトル名の表示領域に表示する。
【００１３】
【数１】
2005086475.tif 000003
【００１４】
これにより、タイトル情報の表示領域にはタイトル名を特にユーザが入力することがなくても、マーカー位置の録画日時や録画時間情報を自動的に表示することにより視認性の向上が可能になる。上記のように必要に応じてタイトル名の変わりに録画日時情報をテキスト情報に変換して動的にタイトル名表示領域に表示することにより、無意味にタイトル名つきマーカー数の数を増やすことなくユーザにとって有益な情報の表示が可能となる。
【００１５】
（実施の形態２）
図３は、本発明の実施の形態２における情報表示装置の構成を示すブロック図である。図３において、１１は記録媒体に記録されているストリーム情報の管理情報を記録している管理情報保存手段、１２は管理情報保存手段１１に保存されている情報から映像または音声の頭だし位置を示すマーカー情報を取得するマーカー情報取得手段、１３は管理情報保存手段１１に保存されている映像または音声の録画開始時間や再生時間等の付加情報を取得する付加情報取得手段、３１はマーカー情報の付属情報としてどの情報を表示するかを指示する表示情報指示手段、１４はマーカー情報取得手段１２で取得された情報と、付加情報取得手段１３で取得された情報を使用して、表示情報指示手段３１で指示された表示する情報を生成するマーカー情報生成手段、１５はマーカー情報生成手段１４で生成されたマーカー情報を表示するマーカー表示手段である。
【００１６】
上記のように構成された実施の形態２の情報表示装置および情報表示方法の動作について図３を参照しつつ説明する。マーカー情報の付属情報としては、１２のマーカー情報取得手段によって取得されたマーカー情報と、１３の付属情報取得手段によって取得されたストリーム情報等の付属情報が使用可能である。このように表示する情報として複数の選択肢がある場合に、３１の表示情報指示手段によりマーカーの付加情報として表示可能な幾つかの選択肢からユーザの所望の情報を選択指示するものである。
【００１７】
より具体的に説明すると、例えば、タイトル名の表示領域に
１．タイトル名
２．タイトル名（ない場合には録画時間等で代用）
３．タイトル名が存在する場合にも録画時間等で代用
をユーザの選択によって表示切替可能なようにするものである。これにより、よりユーザの意図した情報の表示および選択が可能になることになると共に、必要に応じて適切な表示情報に切り替えることも可能となる。
【産業上の利用可能性】
【００１８】
本発明による情報表示方法は、付加情報取得手段をもうけることにより他の情報を適宜利用して代用することによって、規格等で予め情報を保存できる領域が限られている場合においても代用の情報の表示が必要な用途にも適用可能である。
【図面の簡単な説明】
【００１９】
【図１】本発明の実施の形態１における情報表示装置の構成を示すブロック図
【図２】表示情報生成手段の構成を示すブロック図
【図３】本発明の実施の形態２における情報表示装置の構成を示すブロック図
【図４】従来のデータ情報表示装置の構成を示すブロック図
【符号の説明】
【００２０】
１１    管理情報保存手段
１２    マーカー情報取得手段
１３    付加情報取得手段
１４    表示情報生成手段
１５    マーカー表示手段
３１    表示情報指示手段
【図１】
2005086475.tif 000004
【図２】
2005086475.tif 000005
【図３】
2005086475.tif 000006
【図４】
2005086475.tif 000007